(57)【特許請求の範囲】
【請求項１】
基準軸に対して測定対象となる面の傾き角を測定する傾き測定装置であって、
前記測定対象に当接させる当接面を有する測定対象当接部と、
前記測定対象当接部を前記測定対象に当接させたときに前記基準軸に当接する位置に設けられ、前記基準軸の基準面に当接する基準面当接部及び基準面に当接したとき前記測定対象の傾きに応じて摺動する測定子を有する基準面当接部と、
前記基準面当接部の測定子の摺動量を表示するゲージ部と、を有し、
前記基準軸は磁気記録再生装置のキャプスタン軸であり、
前記測定対象はオーディオヘッドとコントロールヘッドが一体化されたＡＣヘッドであり、
前記基準面当接部は、前記キャプスタン軸の径に等しい間隔を隔てて前記キャプスタン軸を保持する基準軸保持部を有することを特徴とする傾き測定装置。
【請求項２】
前記ゲージ部は、前記測定子の摺動量を拡大して、前記ＡＣヘッドの傾き角を表示する目盛を有するものであることを特徴とする請求項１記載の傾き測定装置。
【請求項３】
基準軸に対して測定対象となる面の傾き角を測定する傾き測定装置であって、
前記測定対象に当接させる当接面を有する測定対象当接部と、
前記測定対象当接部を前記測定対象に当接させたときに前記基準軸に当接する位置に設けられ、前記基準軸の基準面に当接する基準面当接部及び基準面に当接したとき前記測定対象の傾きに応じて摺動する測定子を有する基準面当接部と、
前記基準面当接部の測定子の摺動量を表示するゲージ部と、を有し、
前記基準軸は磁気記録再生装置の走行ポストであり、
前記測定対象はシリンダであり、
前記基準面当接部は、前記走行ポストの径に等しい間隔を隔てて前記走行ポストを保持する基準軸保持部を有することを特徴とする傾き測定装置。
【発明の詳細な説明】
【０００１】
【発明の属する技術分野】
本発明はテープ走行手段を有する磁気記録再生装置等に用いられ、ヘッド等の傾きを測定する傾き測定装置に関するものである。
【０００２】
【従来の技術】
一般にビデオテープレコーダ等の磁気記録方式では、回転ドラムの外周を斜め走行する磁気テープに回転磁気ヘッドによりヘリカル走査で映像信号を記録し、回転ドラムを通過したテープに、オーディオヘッドとコントロールヘッドにより磁気テープの空いている部分にオーディオ信号とコントロール信号とを記録している。オーディオ信号は映像に対応した音声信号であり、コントロール信号は映像と音声信号の記録トラック位置を表す基準信号である。従って映像信号，オーディオ信号，コントロール信号を同期させる必要がある。オーディオ信号及びコントロール信号は夫々オーディオヘッド，コントロールヘッドによって書込まれるが、これらのヘッドは通常一体化されており、一体化されたヘッドをＡＣヘッドという。
【０００３】
これらの信号を同期させるためにビデオテープレコーダでは、ヘリカル走査方式で磁気テープに記録された映像信号の記録トラックの記録開始位置を基準とし、テープ走行方向に沿ってＡＣヘッド添接位置までの距離をＸ値として、所定の距離（例えば67.5mm）が定められている。ＡＣヘッドの位置をＸ値に調整すると、映像信号とオーディオ信号及びコントロール信号とを同期させることができる。又ＡＣヘッドの位置調整項目としては、以下のものがある。
（１）Ｘ値
（２）磁気テープに対するＡＣヘッド高さ位置
（３）ＡＣヘッドのオーディオトラック及びコントロールトラックに対するアジマス調整
（４）垂直方向での磁気テープ面に対するあおり調整
【０００４】
上記４項目を調整するため、従来のＡＣヘッドの位置調整機構として実開昭61−132524号公報に記載されたものが知られている。この調整機構は、ベース上にＡＣヘッドのヘッド面の真下に当接する位置に突起を設けると共に、ベースにＡＣヘッドのテープ走行方向のあおりを調整する手段を設け、且つＡＣヘッドの磁気テープに対する角度を突起を支点に調整する手段を設けている。そして各調整項目別に独立して調整し、ＡＣヘッドの位置調整を容易にするように構成されている。この調整機構においては、基準オーディオ信号及び基準コントロール信号が記録されたマスターテープを用い、各出力を確認しながら調整を行っていた。
【０００５】
【発明が解決しようとする課題】
しかるに薄手テープを走行させるテープ走行系においては、より精密な調整範囲が要求されており、従来のＡＣヘッドの位置調整機構でマスターテープによる調整を行った場合、調整は完了してもあおり角が目標とする角度位置に正確に合っているかどうかわからないといった問題があった。異常な角度に設定されてもマスターテープによる調整では確認できないことがあり、テープ走行をさせるとダメージが発生する可能性があるという問題点があった。
【０００６】
又磁気記録再生装置に用いられるテープガイド軸やガイドポスト，シリンダ等も傾きがあれば記録，再生に悪影響を与えるが、これらの傾き角を測定する装置は用いられていなかった。
【０００７】
本発明は、簡単に高精度でＡＣヘッドの傾きを測定できる傾き測定装置を提供することを目的とする。
【０００８】
本願の請求項１の発明は、基準軸に対して測定対象となる面の傾き角を測定する傾き測定装置であって、前記測定対象に当接させる当接面を有する測定対象当接部と、前記測定対象当接部を前記測定対象に当接させたときに前記基準軸に当接する位置に設けられ、前記基準軸の基準面に当接する基準面当接部及び基準面に当接したとき前記測定対象の傾きに応じて摺動する測定子を有する基準面当接部と、前記基準面当接部の測定子の摺動量を表示するゲージ部と、を有し、前記基準軸は磁気記録再生装置のキャプスタン軸であり、前記測定対象はオーディオヘッドとコントロールヘッドが一体化されたＡＣヘッドであり、前記基準面当接部は、前記キャプスタン軸の径に等しい間隔を隔てて前記キャプスタン軸を保持する基準軸保持部を有することを特徴とするものである。
【００１１】
本願の請求項２の発明は、請求項１の傾き測定装置において、前記ゲージ部は、前記測定子の摺動量を拡大して、前記ＡＣヘッドの傾き角を表示する目盛を有することを特徴とするものである。
【００１２】
本願の請求項３の発明は、基準軸に対して測定対象となる面の傾き角を測定する傾き測定装置であって、前記測定対象に当接させる当接面を有する測定対象当接部と、前記測定対象当接部を前記測定対象に当接させたときに前記基準軸に当接する位置に設けられ、前記基準軸の基準面に当接する基準面当接部及び基準面に当接したとき前記測定対象の傾きに応じて摺動する測定子を有する基準面当接部と、前記基準面当接部の測定子の摺動量を表示するゲージ部と、を有し、前記基準軸は磁気記録再生装置の走行ポストであり、前記測定対象はシリンダであり、前記基準面当接部は、前記走行ポストの径に等しい間隔を隔てて前記走行ポストを保持する基準軸保持部を有することを特徴とするものである。
【００１３】
【発明の実施の形態】
図１は、本発明の一実施の形態によるＡＣヘッド傾き測定装置を示している。ＡＣヘッド傾き測定装置１は測定対象に当接する測定対象当接部２、基準軸に当接する基準面当接部３及び基準面当接部の測定値の摺動量を表示するゲージ部４を含んで構成されている。測定対象当接部２は図１（ｂ）の側面図を示すように、測定対象、この場合にはＡＣヘッドの上下に夫々当接するＡＣヘッド当接面１１とＡＣヘッド当接面１２を有している。これらの当接面は測定対象当接面の本体部より同一方向に同一量だけ突出している。又基準面当接部３は基準軸であるキャプスタン軸の両側面を保持するように、キャプスタン軸の幅と等間隔に構成された垂直の基準軸保持部１３，１４を有している。又図１（ｃ）に中央部縦断面図を示すように、ＡＣヘッド当接面１２の側方に同一方向に突出する基準軸当接面１５が設けられ、更にその上部にはＡＣヘッド当接面１１と同一の高さに摺動自在に測定ピック１６が設けられる。図１（ｄ）は底面図であり、ＡＣヘッド当接面１２と基準軸保持部１３，１４の関係を示している。測定ピック１６は図１（ｃ）に示すように側面がＴ字状でＸ軸方向に摺動自在に保持されており、平板部の面が測定子１７と当接している。測定子１７は図示しない付勢手段によって矢印Ａ方向に付勢されている。
【００１４】
図２はゲージ部４の構成を示す概略図である。前述したように測定子１７は図示しない付勢手段によって図中Ａ方向に付勢され、測定ピック１６の平板部と常に当接している。測定子１７はシリンダ１８の下面に設けられる回転軸に沿って所定角度回動自在に構成される。シリンダ１８内にはこの測定子１７の回動と一体となってシリンダ１８内で回動するアーム１９が設けられる。アーム１９の先端部は円弧状にギア２０が形成されており、このギア２０にシリンダの上面に配置されたギア２１が噛合している。このギア２１の外周部分には径の大きいギア２２が一体に固定され、このギア２２とゲージの回転軸２３に設けられたギア２４とが噛合している。ゲージの回転軸２３の先端には指示針２５が設けられ、表面には円板状の目盛２６が図１に示すように付されている。ゲージをこのように構成しておくことによって、測定ピック１６のＸ軸方向の摺動に応じて測定子１７及びアーム１９が回動し、ゲージの目盛２６から測定ピック１６の摺動距離を認識することができる。
【００１５】
尚あらかじめＡＣヘッド当接面１１，１２に当接する面と平行な面で、且つ基準軸当接面１５と当接した面に測定ピック１６の先端位置を合わせたところが「０」となるように、ゲージの目盛２６を合わせておくものとする。
【００１６】
図３は、本発明の一実施の形態によるＡＣヘッドを備えたテープ走行手段を有する磁気記録再生装置の一例を示している。本図に示すように供給リール３１から引き出された磁気テープ３２はシリンダ３３，フルイレースヘッド３４，ＡＣヘッド３５，Ｔ３軸３６，キャプスタン３７を介して巻取リール３８に巻取られる。磁気テープ３２の搬送経路にはキャプスタン３７と磁気テープ３２を介して接触する垂直度の精度が高いキャプスタン軸３９が設けられている。
【００１７】
図４はＡＣヘッド３５の周辺部分の斜視図を示している。磁気テープ３２の走行方向に沿ってＡＣヘッド３５とフルイレースヘッド３４と上、下フランジと固定ポストを備えたＴ３軸３６が設けられる。垂直度の精度が高いキャプスタン軸（基準軸）３９はキャプスタンハウジング４０内に設けられている。
【００１８】
ＡＣヘッド部の調整には前述したように、▲１▼Ｘ値、▲２▼磁気テープに対するＡＣヘッド高さ位置、▲３▼ＡＣヘッドのオーディオトラック及びコントロールトラックに対するアジマス調整、及び▲４▼垂直方向での磁気テープ面に対するあおり調整がある。図５（ａ）はＡＣヘッドの取付ベース５１と調整ビスを示す概略図である。本図においてＸ値については、Ｘ値調整ビス５２，５３を緩め、Ｘ値調整偏芯ドライバ用長穴５４に偏芯ドライバを挿入し、回転させる。こうすることによりＡＣヘッドがテープ走行方向に対し＋方向と−方向に移動し、Ｘ値を調整することができる。尚図５（ｂ）はこのとき用いられる先端が偏芯した小軸を備える偏芯ドライバを示す斜視図である。
【００１９】
次に磁気テープに対するＡＣヘッド高さ位置については、高さ調整ビス５５と高さ固定ビス５６を緩め、ＡＣヘッドを垂直方向に上下し、高さを合わせた後高さ調整ビス５５と高さ固定ビス５６を締結することにより調整することができる。又ＡＣヘッドのオーディオトラック及びコントロールトラックに対するアジマス調整については、あおり・アジマス固定ビス５７を緩めた後、アジマス調整ビス５８にてアジマス角度を合わせる。その後、あおり・アジマス固定ビス５７を締結することにより調整することができる。又垂直方向での磁気テープ面に対するあおり調整については、あおり・アジマス固定ビス５７を緩めた後、あおり調整ビス５９を締め込むか、又は緩めることによりあおり角を調整する。その後、あおり・アジマス固定ビス５７を締結することにより調整することができる。
【００２０】
図６はＡＣヘッドのあおり調整を示す概略図である。本図に示すようにベース５１上には付勢ばね６１を有するあおり・アジマス固定ビス５７と、あおり調整ビス５９が設けられ、更に支軸６２が突出してＡＣヘッド固定板６３と当接している。ＡＣヘッド固定板６３には図示のようにＡＣヘッド３５が保持されている。この状態であおり・アジマス固定ビス５７を緩めてあおりを調整することができる。
【００２１】
図７（ａ）〜（ｃ）は、本発明の一実施の形態によるＡＣヘッド傾き測定装置１の使用例を示している。傾きの測定時には、まず基準軸であるキャプスタン軸３９の両側に基準面当接部３の基準軸保持部１３，１４を沿わせるように挿入し、更にＡＣヘッド３５に測定対象当接部２のＡＣヘッド当接面１１，１２を当接する。そして基準軸当接面１５をキャプスタン軸３９の下面に、測定ピック１６の先端をキャプスタン軸３９の上面に当接する。こうすれば測定ピック１６に図１に示すＸ軸方向の変位が生じる。従ってキャプスタン軸３９に対するＡＣヘッド３５の相対的な角度差が寸法Ｌとして検出される。その寸法Ｌは測定子１７及びアーム１９の回動角度の変化となってゲージの指示に変化が生じ、ゲージ部４の目盛２６に表示される。そして測定ピック１６と基準面当接下面１５の間のピッチと寸法Ｌから角度換算することにより、ＡＣヘッド１１とキャプスタン軸３９との角度差を算出することができる。こうして検出された角度差が調整目標調整、例えば０°となるように、あおり調整ビス５９を回転させ、あおり・アジマスク固定ビス５７を用いて固定してあおり調整を行うことによって、正確にあおり角を調整することができる。
【００２２】
尚以上の説明では、キャプスタン軸を基準軸とし、基準軸に対するＡＣヘッドの傾き角度を算出した例で説明したが、その他のものを基準軸とすることも可能である。例えば走行ポストを基準軸として、ＡＣヘッドの角度を算出することも同様に実施可能である。又走行ポストを基準軸としてもよく、走行ポストに対して他の部材、例えばシリンダ、又は近傍の他の走行ポストの角度を算出することも同様に実施可能である。
【００２３】
前述した実施の形態において説明したように、キャプスタン軸等の特定の軸を基準軸としてＡＣヘッド等特定の測定対象の傾きのみを検出する場合には、あらかじめ測定ピックの寸法変位を角度に換算し、換算した値をダイヤルゲージの目盛としておいてもよい。そうすれば逐一角度の換算をする必要がなく、測定毎に寸法Ｌから直接傾き角度を求めることができる。
【００２４】
【発明の効果】
以上詳細に説明したように本発明によれば、ＡＣヘッドを備えたテープ走行手段を有する磁気記録再生装置において、基準軸とＡＣヘッドの相対角度を容易に測定することができる。従ってマスターテープによる調整の前にＡＣヘッドを目標値付近に精度良く調整しておくことで、ＡＣヘッドの調整目標値からの位置ずれを防ぐことができ、信頼性のある薄手テープ走行系を実現することができるという有利な効果が得られる。
【図面の簡単な説明】
【図１】本発明の一実施の形態によるＡＣヘッド傾き測定装置を示す図である。
【図２】本実施の形態によるＡＣヘッド傾き装置のゲージ部の構成を示す分解斜視図である。
【図３】本発明による傾き測定装置が使用される磁気記録再生装置の一例を示す概略図である。
【図４】磁気記録再生装置のＡＣヘッドとその周辺部分を示す斜視図である。
【図５】ＡＣヘッドとその調整ビスを示す概略図である。
【図６】ＡＣヘッドのあおり調整機構を示す概略図である。
【図７】本発明の一実施の形態によるＡＣヘッド傾き測定装置の使用例を示す図である。
【符号の説明】
１  ＡＣヘッド傾き測定装置
２  測定対象当接部
３  基準面当接部
４  ゲージ部
１１，１２  ＡＣヘッド当接面
１３，１４  基準軸保持部
１５  基準軸当接面
１６  測定ピック
１７  測定子
１８，３３  シリンダ
１９  アーム
２０，２１，２２，２４  ギア
２５  指示針
２６  目盛
３１  テープ供給リール
３２  磁気テープ
３４  フルイレースヘッド
３５  ＡＣヘッド
３６  Ｔ３軸
３８  テープ巻取りリール
３９  キャプスタン軸（基準軸）
５１  ベース
５２  Ｘ値調整ビス
５３  Ｘ値調整ビス
５４  Ｘ値調整偏芯ドライバ用長穴
５５  高さ調整ビス
５６  高さ固定ビス
５７  あおり・アジマス固定ビス
５９  あおり調整ビス
【図１】
0003698568.tif 000002
【図２】
0003698568.tif 000003
【図３】
0003698568.tif 000004
【図４】
0003698568.tif 000005
【図５】
0003698568.tif 000006
【図６】
0003698568.tif 000007
【図７】
0003698568.tif 000008